(57)【要約】【課題】視聴中の番組と同一番組であって、受信できる可能性の高い同一番組を容易にかつ利便性良くユーザに提供することができるデジタル放送受信機を得ること目的とする。【解決手段】本発明におけるデジタル放送受信機２０は、地上波デジタル放送を移動体において受信するデジタル放送受信機２０であって、地上波デジタル放送を受信する受信部２と、選局キーに放送局のチャンネルを対応させて記憶し、いずれかの選局キーを選択することにより所望のチャンネルを受信部２が受信可能なチャンネルプリセット機能に用いられ、１つの選局キーに複数の放送局を登録可能なプリセット情報テーブル部１１と、受信部２が受信するチャンネルを登録された複数の放送局から選択するように制御する制御部８と、を備える。【選択図】図１
2009124639.tif 000002
【特許請求の範囲】
【請求項１】
地上波デジタル放送を移動体において受信するデジタル放送受信機において、
地上波デジタル放送を受信する受信部と、
選局キーに放送局のチャンネルを対応させて記憶し、いずれかの選局キーを選択することにより所望のチャンネルを前記受信部が受信可能なチャンネルプリセット機能に用いられ、１つの選局キーに複数の放送局を登録可能なプリセット情報テーブル部と、
前記受信部が受信するチャンネルを前記登録された複数の放送局から選択するように制御する制御部と、を備えるデジタル放送受信機。
【請求項２】
前記受信部が受信した信号レベルを検出する受信レベル検出部をさらに備え、
前記制御部は、前記検出した信号レベルに応じて前記受信部が受信するチャンネルを前記登録された複数の放送局から選択するように制御する請求項１に記載のデジタル放送受信機。
【請求項３】
GPS受信部と、
前記GPS受信部で受信した信号から前記移動体の位置情報を取得する現在位置検出部と、をさらに備え、
前記制御部は、前記位置情報に応じて新規地域通過または同一地域通過を判断し、前記判断した新規地域通過と同一地域通過とで前記受信部が受信するチャンネルを選択する方法を異ならせる請求項１または２に記載のデジタル放送受信機。
【請求項４】
前記プリセット情報テーブル部は、１つの選局キーに同一放送局の複数のチャンネルを登録し、
前記制御部は、前記検出した信号レベルに応じて前記受信部が受信するチャンネルを前記登録された複数のチャンネルから選択するように制御する請求項２または３に記載のデジタル放送受信機。
【請求項５】
前記プリセット情報テーブル部は、１つの選局キーに同一放送局の複数の受信地域を登録し、
前記制御部は、前記検出した信号レベルに応じて前記受信部が受信するチャンネルを前記登録された複数の受信地域から選択するように制御する請求項２から４のいずれかに記載のデジタル放送受信機。
【請求項６】
直前まで視聴していた番組と同一番組か否かを判断する同一番組検出部をさらに備え、
前記制御部は、前記同一番組検出部が同一番組であると判断した場合に、前記受信部が受信するチャンネルを前記プリセット情報テーブル部から選択するように制御する請求項１から５のいずれかに記載のデジタル放送受信機。
【請求項７】
前記同一番組検出部は、地上波デジタル放送のNIT（Network Information Table）内のNetwork_id、該当TSのts_id、サービスid、サービス名、を検出して同一番組か否かを判断する請求項６に記載のデジタル放送受信機。
【請求項８】
前記同一番組検出部は、地上波デジタル放送のNIT（Network Information Table）内のNetwork_idと、該当TSのts_id、サービスid、サービス名、のいずれかを検出して同一番組か否かを判断する請求項６に記載のデジタル放送受信機。
【請求項９】
地域ごとの放送局情報を記憶する記憶部をさらに備え、
前記プリセット情報テーブル部は、前記記憶部から放送局情報を読み出して登録する請求項１から８のいずれかに記載のデジタル放送受信機。
【請求項１０】
前記放送局情報は、選局キー番号、放送局名、受信地域、物理チャンネル、を含む請求項９に記載のデジタル放送受信機。
【請求項１１】
前記記憶部は、前記位置情報と、前記地域ごとの放送局情報と、を対応づけて記憶し、
前記プリセット情報テーブルは、前記位置情報における地域の放送局情報を前記記憶部から読み出して登録する請求項９または１０に記載のデジタル放送受信機。
【請求項１２】
前記記憶部は、位置情報の郵便番号と、前記地域ごとの放送局情報と、を対応づけて記憶する請求項１１に記載のデジタル放送受信機。
【請求項１３】
前記記憶部は、同一系列局の放送局情報をさらに記憶し、
前記制御部は、前記現在位置検出部が取得した位置情報における前記地域ごとの放送局情報が前記プリセット情報テーブル部に登録されていないとき、新規地域通過と判断し、前記現在位置検出部が取得した位置情報、前記同一番組検出部の出力、および前記受信レベル検出部が検出した信号レベルに応じて前記受信部が受信するチャンネルを前記記憶部に記憶されている前記同一系列局の放送局情報から選択するように制御する請求項１１または１２に記載のデジタル放送受信機。
【請求項１４】
前記プリセット情報テーブル部は、前記制御部が前記記憶部に記憶されている前記同一系列局の放送局情報から選択した場合、前記選択された放送局の地域ごとの放送局情報を読み出して登録する請求項１３に記載のデジタル放送受信機。
【請求項１５】
前記制御部は、前記現在位置検出部が取得した位置情報における前記地域ごとの放送局情報が前記プリセット情報テーブル部に登録されているとき、同一地域再通過と判断し、前記同一番組検出部の出力および前記受信レベル検出部が検出した信号レベルに応じて前記受信部が受信するチャンネルを前記プリセット情報テーブル部から選択するように制御する請求項１４に記載のデジタル放送受信機。
【請求項１６】
前記プリセット情報テーブル部は、前記制御部が前記受信部が受信するチャンネルを選択するように制御した場合、前記同一選局キーに登録された複数の情報から、前記選択されたチャンネルに対応する位置情報の放送局情報を優先するように切り換える請求項１４または１５に記載のデジタル放送受信機。
【請求項１７】
前記プリセット情報テーブル部は、１つの選局キーに登録された複数の情報をトグルで選局する機能を備える請求項１から１６のいずれかに記載のデジタル放送受信機。
【請求項１８】
前記プリセット情報テーブル部に登録されている情報を表示するモニタをさらに備える請求項１から１７のいずれかに記載のデジタル放送受信機。
【請求項１９】
前記プリセット情報テーブル部は、前記登録されている情報を前記受信レベル検出部が検出した信号レベルに関連づけて前記モニタに表示する請求項１８に記載のデジタル放送受信機。
【発明の詳細な説明】
【技術分野】
【０００１】
本発明は、地上波デジタル放送を受信するデジタル放送受信機に関し、特に移動体において受信するデジタル放送受信機に関するものである。
【背景技術】
【０００２】
従来より、自動車等の移動体が車載式のデジタル放送受信機を移動しながら使用することがある。このように移動しながらデジタル放送を受信する場合、受信可能な放送は次々に変化するため、特定の番組を視聴していても、受信地域が変わればその番組は受信不可能となることがある。
【０００３】
例えば、下記特許文献１に、現在の受信エリアから外れても同一番組を受信可能にするデジタル放送受信機が開示されている。このデジタル放送受信機は、カーナビゲーションシステムから現在位置情報などを受け取り、この現在位置情報とメモリ内に予め格納された受信範囲情報とから、受信可能範囲内の放送局をリサーチし、直前まで受信していた番組があるか判断して放送局を選択する。従って、このデジタル放送受信機は、GPSで現在地を常に検出し、移動体による移動によって受信機が現在の受信エリアから外れても、自動的に追従し受信動作を行うため、ユーザが再選局するなどの操作をすることなく継続して同一の番組を視聴できる。
【０００４】
また、下記特許文献２に、地域を移動しても、選局ボタンによる放送局の選択を移動前と同様にして行うテレビ受信装置が開示されている。このテレビ受信装置は、GPS受信機からの位置情報を基に、その地域で受信可能な放送局とそのチャンネル番号を放送局データベースから読み出して、先にプリセットされている選局ボタンの番号と同じ番号には同じまたは同系列の放送局を割り当てるようにプリセットメモリを書き換える。従って、このテレビ受信装置は、移動先でのプリセットメモリの書き換えを自動的に行うことができ、移動前と移動先での選局ボタンに対応する放送局が同一または同系列なので、移動前と同じ感覚で選局ボタンを操作することができる。
【０００５】
【特許文献１】特開２００１−２８５１０１号公報
【特許文献２】特開平１１−３３１７１７号公報
【発明の開示】
【発明が解決しようとする課題】
【０００６】
移動しながらデジタル放送を受信する場合、二つの放送エリアの境界部近傍においては、いずれのエリアにある局の電波も受信状態が不安定になりやすい。特に、自動車が山間部を走行する場合は、電波が山に遮られるなどして電波状態が著しく変化するため、放送局を切り換えても、新たな局の放送よりも前に受信していた局の放送の方が受信状態が良くなることも起こりうる。
【０００７】
しかしながら、特許文献１に記載のデジタル放送受信機は、受信レベルが低下して番組が継続できなくなると、チューナーの自動制御により毎回周波数帯域の全範囲をスキャンして系列局を検索する。従って、電波状態が著しく変化する地域においては、度々全範囲スキャンを行うことになり、番組視聴が中断される時間が長いという問題があった。
【０００８】
また、特許文献２に記載のテレビ受信機は、移動体の受信レベルが低下する直前に視聴していた放送局の番組と、別の放送局が現在放送中の番組とを関連づける情報が送信されていない、または送信されていてもテレビ受信装置がその情報を利用していない。従って、受信レベルが低下する前に視聴していた番組を継続して視聴したい場合でも、周波数帯域の全範囲のスキャンを行い、新たに受信可能になった放送局の番組の中からユーザ自身が同一番組を選択しなければならないという問題があった。
【０００９】
また、特許文献２に記載のテレビ受信装置は、電波状態が著しく変化して、新たな局の放送よりも前に受信していた局の放送の方が受信状態が良くなり、再びプリセットを入れ替える場合、再度行ったプリセット情報は前のプリセット情報に上書きされるため、前のプリセット状態に戻すにはユーザ自身が再度プリセットサーチを行い登録しなければならないという問題があった。
【００１０】
そこで本発明はかかる問題を解決するためになされたものであり、視聴中の番組と同一番組であって、受信できる可能性の高い同一番組を容易にかつ利便性良くユーザに提供することができるデジタル放送受信機を得ること目的とする。
【課題を解決するための手段】
【００１１】
本発明におけるデジタル放送受信機は、地上波デジタル放送を移動体において受信するデジタル放送受信機であって、地上波デジタル放送を受信する受信部と、選局キーに放送局のチャンネルを対応させて記憶し、いずれかの選局キーを選択することにより所望のチャンネルを前記受信部が受信可能なチャンネルプリセット機能に用いられ、１つの選局キーに複数の放送局を登録可能なプリセット情報テーブル部と、前記受信部が受信するチャンネルを前記登録された複数の放送局から選択するように制御する制御部と、を備える。
【発明の効果】
【００１２】
本発明のデジタル放送受信機によれば、県境を移動中時など、選局中の番組が受信障害を発生し、ある信号レベルより低くなり、映像が乱れるもしくは受信不可になった場合であっても、記憶部に系列局情報を記憶して、制御部が記憶部から同一番組を選局するようにすれば、同一番組の継続視聴が可能になる。また、再び受信障害が発生しても、プリセット情報テーブル部には以前のチャンネル情報が登録されているので、簡単に以前の視聴状態に戻すことができる。
【００１３】
また、系列局サーチにおいて検出した放送局の番組に切り換えた時点での位置情報における放送エリアのプリセット情報を登録するようにすれば、再度その位置を通過したときは、自動でその放送局を選局して受信することができる。系列局での番組構成は長期間引き継がれる傾向にあるので、現在視聴中の視聴番組の受信レベルが低下しても、以前その地域でプリセットした系列局番組を選局受信し、短時間で同一番組を選局して継続視聴することができる。
【発明を実施するための最良の形態】
【００１４】
＜実施の形態１＞
図１は、本発明のデジタル放送受信機２０の構成を示すブロック図である。このデジタル放送受信機２０は、受信アンテナ１、受信部２、受信レベル検出部２a、復調部３、信号処理部４、映像・音声出力部５、OSD表示回路部６、選局キー入力７、制御部８、同一番組検出部９、記憶部１０、プリセット情報テーブル部１１、GPSアンテナ１２、GPS部１３、現在位置検出部１４、モニタ１５を備えている。
【００１５】
受信部２内にあるチューナは、受信アンテナ１を介して地上波デジタル放送電波を受信および選局する。受信部２内にある受信レベル検出部２aは、受信アンテナ１で受信した信号レベルを検出する。復調部３は、チューナーからの信号をデジタル信号に復調する。復調されたデジタル信号は、信号処理部４で処理され、映像・音声出力部５を介して映像はモニタ５に、音声はスピーカ（図示せず）より出力される。OSD表示回路部６は、各種設定を行うためにモニタ１５にOSD（On Screen Display）表示を行う。制御部８は、デジタル放送受信機２０全体の制御を行う。
【００１６】
ここで、復調されるデジタル信号は、MPEG２エンコーダによって圧縮符号化された１つまたは複数の放送プログラムの内容を含んでいる。具体的には、放送プログラムの情報、音声の情報、および映像の情報等、をそれぞれ分割し、それら分割した情報に、PID（Packet Identifir）と呼ばれる任意の識別情報を付ける。そして、PID別に、１８８バイトを１パケットとしてパケット化された情報（トランスポートパケット：TP）を、時分割で送り出して多重化することによって圧縮される。この多重化されたデジタル信号をトランスポートストリーム（TS）という。
【００１７】
放送プログラムに関する仕様情報を示すTPは、PSI（Program Specific Information）と呼ばれる。所望の放送プログラムを視聴するためには、PSIのTPを抽出する必要がある。PSIには、PAT（Program Association Table）とPMT（Program Map Table）がある。また、MPEG圧縮符号化された映像、音声、字幕などのAVデータはES（Elementary Stream）と呼ばれる。
【００１８】
PATは、デジタル放送受信装置において最初に取得されるTPであり、PMTのPIDを収めている。このPMTは、放送プログラムと１対１に対応しており、放送プログラムはProgram Numberという番号で識別される。つまり、PATは、現在放送されているすべての放送プログラムのPIDを収めている。
【００１９】
PMTは、PATの次に取得されるTPであり、PMTの放送プログラムに対応する映像の識別情報（Video Stream PID）、音声の識別情報（Audio Stream PID）、および、多種の装置において汎用的にPLL（Phase Locked Loop）クロックの発振速度を合わせるための情報（Program Clock Reference：PCR）の識別情報（PCR PID）を収めている。つまり、PMTは、PMTに対応する放送プログラムのESのPID（Elementary PID）を収めている。
【００２０】
したがって、放送プログラムを視聴するには、まず、PSI情報であるPATを取得し、視聴したい放送プログラムに対応するPMTを受信し、映像の識別情報、音声の識別情報、PCRの識別情報を取得することになる。PATで指定されたNIT（Network Information Table）を取得し、物理的な伝送パラメータ（周波数や物理チャンネルなど）やネットワーク内の全編成チャンネル情報を得る。NITには現在放送中の番組情報やサービスリストが記載されており、これを元にEPG（Electric Program Guide）も作成されている。
【００２１】
次に、復調部３から得られる番組情報は、制御部８に伝送され、同一番組検出部９にて解析される。同一番組検出部９は、NITに記載されているnetwork_id（nw_id）、該当tsであることを示すts_id、サービスid（svc_id）、サービス名を検出し、視聴中の番組の情報であるnw_id、ts_id、svc_id、サービス名が、系列サーチして選局された番組の情報であるnw_id、ts_id、svc_id、サービス名と同じであれば、同一番組であると判断する。このnw_id、ts_id、svc_id、サービス名、４つのパラメータでチェックすることにより、同一番組の検出率が向上し、同一番組の継続視聴が安定して行えるという効果がある。ただし、日本の地上デジタル放送では現在、１つのTSに対して１つのネットワークを割り当てているため、nw_idとts_idとは、１対１に対応して同じ値になっているので、ts_id、svc_id、サービス名、もしくはnw_id、svc_id、サービス名が同じであれば同一と判断しても良い。
【００２２】
一方、GPS受信部１３は、GPS（Global Positioning System）衛生（図示せず）から送信された電波をGPSアンテナ１２を介して受信する。現在位置検出部１４は、受信したGPS信号から位置情報を取得する。モニタ１５は、取得した位置情報を表示することができる。
【００２３】
記憶部１０は、地域名、地域における放送局名、その放送局が使用するチャンネル番号（物理チャンネル）、および使用周波数、等の地域における放送局情報、および同一系列局の放送局情報が予め記憶されている。また記憶部１０は、位置情報と地域における放送局情報とが関連づけて記憶されている。
【００２４】
プリセット情報テーブル部１１は、選局キーに放送局のチャンネルを対応させて記憶されており、いずれかの選局キーを選択することにより所望のチャンネルを受信部２が受信できるチャンネルプリセット機能に用いられる。また、プリセット情報テーブル部１１は、１つの選局キーに、複数の放送局、同一放送局の複数のチャンネル、同一放送局の複数の受信地域を登録することができる。
【００２５】
選局キー入力部７は、プリセットされた選局キーから選局入力を受け付ける。選局キーは、モニタ１５上にOSD表示されたプリセット情報のプリセット番号および、同一の意味をもたらすOSD表示内のもの、およびモニタ周辺に設けられた固定式のものでもよいし、モニタ１５とは別体のリモコン式のものでもよい。
【００２６】
図２は、本実施の形態におけるデジタル放送受信機２０の動作を示すフローチャートであり、詳しくは、デジタル放送受信機２０の現在位置が新規地域を通過する場合の系列局選局およびプリセット登録処理の流れを示したフローチャートである。以下、この処理フローに沿って、デジタル放送受信機２０の動作を説明する。
【００２７】
まず、制御部８からの指示により、選局処理が開始される。現在位置検出部１４は、GPS部１３が受信したGPS信号から現在の位置情報を取得する（S−１）。取得した位置情報に基づいて、車両が直前まで視聴していた放送エリアとは別の放送エリアに移動したか否かを判別する。この判別は、先に放送を受信した際に記憶しておいた位置情報と比較して行う。
【００２８】
この判別処理において、車両が別の放送エリアに移動していなければ、再び、任意のタイミングで現在の位置情報の取得（S−１）を行う。判別処理において、車両が別の放送エリアに移動したことを判別したら、過去に同一地域を通過しているか否かを判断する（S−１a）。この判断は、現在位置検出部１４が取得した位置情報に対応する放送エリア（地域ごとの放送局情報）を記憶部１０から取得し、この放送エリアに対応する放送局情報がプリセット情報テーブル部１１に登録されているかどうかを検索し、登録されていれば同一地域および同一地点を通過中と判断する。
【００２９】
ここで、位置情報に対応する放送エリア取得方法について説明する。GPS部１３は、地図データベースを搭載しており、現在位置検出部１４が取得する位置情報には、地図の表示や経路検索するための地図データの他、地図中の各地域における住所、郵便番号、電話番号（市外局番）等の情報が含まれている。また、記憶部１０には、公表されている全国の送信所の送信周波数の各放送エリアを郵便番号に対応づけてデータベース化して記憶している。よって、取得した位置情報の郵便番号における放送エリアを記憶部１０から取得することで、その位置がいずれの放送エリア内であるかを判別できる。また、郵便番号は、所定の地域ごとに設定されているため、地域単位で放送エリアを判別することができる。
【００３０】
また、記憶部１０に、現在位置（緯度、経度）と各放送エリアを対応づけてデータベース化して記憶すれば、現在位置情報検出部１４が取得した位置情報から、この位置がいずれの放送エリア内であるかを同様に判別することができる。
【００３１】
次に、放送エリアに対応する放送局情報がプリセット情報テーブル部１１に登録されていないときは、過去に同一地域を通過したことがない本地域新規通過と判断し、以下の処理を行う。まず、現在視聴中の番組情報を取得し、同一番組検出部９において、地上ブロードキャスタ、拡張ブロードキャスタ記述子、EITにおけるEIT［p/f］actual内の記述により、系列局の識別や同一番組の有無をチェックし、あれば検出して制御部８に伝える（S−２）。
【００３２】
次に、受信レベル検出部２aは、直前に視聴していた番組の受信信号レベルがしきい値より低下したことを検出したとき、受信障害が発生したことを出力する（S−３）。
【００３３】
次に、S−２で視聴番組情報を調査分析した結果を用いて、視聴番組が系列局有りか否かを判断する（S−４）。系列局が有りと判断すれば、系列局サーチを行う（S−５）。記憶部１０は、同一系列局の放送局情報が記憶されており、直前に視聴していた放送局と同系列の放送局情報を読み出して選局する。系列局を選局し、受信レベル検出部２aが、受信信号レベルがあるしきい値より上、もしくは現在視聴中の番組より上であることを検出し、かつ同一番組であると同一番組検出部９において判断されたら、番組を切り換える（S−６）。次に、新しい位置情報に対応する放送エリア用のプリセット情報を記憶部１０から読み出して、プリセット情報テーブル部１１に既存情報が登録されていないことを確認後（Sー７）、プリセット情報テーブル部１１に登録する（S−８）。また、S−４で系列局が無いと判断したときは、同一番組がないことをユーザにOSD表示して知らせる（S−９）。
【００３４】
次に、プリセット情報を表示するか選択し（S−１０）、選択するときはプリセット情報をモニタ１５に表示し（S−１１）、選択しないときは終了する（S−１１）。
【００３５】
次に、図３は、本実施の形態における動作を示すフローチャートであり、詳しくは、デジタル放送受信機２０の現在位置が同一地域を再通過する場合の系列局選局およびプリセット登録処理の流れを示したフローチャートである。この処理フローに沿って、デジタル放送受信機２０の動作を説明する。
【００３６】
S−１aまでは、上述した処理と同様のため説明を省略する。また同じ番号の処理は、上述した内容と同様の処理を行う。S−１aで、放送エリアに対応する放送局情報がプリセット情報テーブル部１１に登録されており、過去に同一地域を通過したことがある同一地域再通過と判断し、以下の処理を行う。まず、現在視聴中の番組情報を取得し、同一番組検出部９において、地上ブロードキャスタ、拡張ブロードキャスタ記述子、EITにおけるEIT［p/f］actual内の記述により、系列局の識別や同一番組の有無をチェックし、あれば検出して制御部８に伝える（S−２）。
【００３７】
次に、S−２で視聴番組情報を調査分析した結果を用いて、視聴番組が系列局有りか否かを判断する（S−４）。系列局が有りと判断すれば、プリセット情報テーブル部１１に登録されている情報を調査し（S−１００）、現視聴番組の放送局および系列局がプリセット情報にあるか検索する（S−１０１）。プリセット情報にあるとの検索結果であれば、あるタイミングでその周波数にピンポイントでチューニングし、視聴番組と同一番組か否か番組情報のNITを受信してチェックする（S−１０２）。
【００３８】
ここで、チューナが複数ある場合は、現在視聴中の番組を表示しながら、裏で他のチューナが同一放送局および系列放送局を選局し、受信した番組の情報と、現在視聴番組のNIT情報が同一であるかどうかチェックする。また、チューナが１つの場合は、あるタイミング（例えば、CMや番組の切れ目）で検出した放送局の同一番組の同一性をチェックする。
【００３９】
次に、同一番組であると判断したとき、受信レベル検出部２aにおいて、現在視聴中の受信レベルと比較し（S−１０３）、受信レベルがこれより高い値であって、あるしきい値よりも上であることを検出したら、系列局に切り換え（S−６）、その系列局の地域のプリセット情報に切り換える（S−１０５）。また、検出した系列局の受信レベルが低いときは、現在視聴中の番組を継続して視聴し続け（S−１０４）、受信レベルが逆転するまで待機し、受信レベルが逆転した時点でS−１０３を経由して系列局に切り換える（S−６）。
【００４０】
図４は、本実施の形態におけるデジタル放送受信機２０の系列局選局およびプリセット登録後のプリセット情報画面の一例を示した図である。図４（１）は、プリセットした直後の状態を示した図である。図４（２）、および図４（３）は、大阪府を出発して、静岡県浜松市付近を通過中の時のプリセット情報画面の一例を示した図である。また、図４（３）は、静岡県浜松市付近を通過中の時の受信できるチャンネルのみを表示した際のプリセット情報画面の一例を示した図である。
【００４１】
以上より、本実施の形態のデジタル放送受信機２０は、県境を移動中時など、選局中の番組が受信障害を発生し、ある信号レベルより低くなり、映像が乱れるもしくは受信不可になった場合であっても、系列局サーチを行って同一番組を選局し、同一番組の継続視聴を可能にする。また、再び受信障害が発生しても、プリセット情報テーブル部１１には以前のチャンネル情報が登録されているので、簡単に以前の視聴状態に戻すことができる。
【００４２】
また、複数のチューナがある場合は、系列局サーチを視聴中のチューナとは別のチューナで行っておき、データベースを裏で作成しておいてもよいので、受信不可になったとき、現在視聴中の番組と同じ番組を短時間に自動選局でき、同じ番組を途切れずに提供することができる。
【００４３】
また、系列局サーチにおいて検出した放送局の番組に切り換えた時点での位置情報における放送エリアのプリセット情報を登録するため、再度その位置を通過したときは、自動でその放送局を選局して受信することができる。系列局での番組構成は長期間引き継がれる傾向にあるので、現在視聴中の視聴番組の受信レベルが低下しても、以前その地域でプリセットした系列局番組を選局受信し、短時間で同一番組を選局して継続視聴することができる。
【００４４】
＜実施の形態２＞
実施の形態１における同一番組検出部９は、NITに記載されているnw_id、ts_id、svc_id、サービス名を検出し、同一であれば同一番組であると判断する。このnw_id、ts_id、svc_id、サービス名、４つのパラメータでチェックすることにより、同一番組の検出率が向上し、同一番組の継続視聴が安定して行えるという効果がある。
【００４５】
本実施の形態における同一番組検出部９も、実施の形態1と同様にNITに記載されているnw_id、ts_id、svc_id、サービス名、全てのパラメータの一致が最上で望ましい。しかし、切り換えタイミングが無く、視聴中の番組が受信不可に陥った、もしくは目前に迫っている場合は、サービス名が同じで、かつどれかのパラメータが一致していれば同一番組と判断する。
【００４６】
以上のように、本実施の形態によれば、高い確率で同一番組の検出が可能になり、視聴中の番組と同じ番組で、受信できる可能性の高い番組をユーザに提供することができる。その他の構成・動作は実施の形態１と同様のため説明を省略する。
【００４７】
＜実施の形態３＞
図５は、本実施の形態のプリセット情報表示処理の流れを示すフローチャートである。本実施の形態は、移動地域により受信の可能性が高いものの順にプリセット情報を切り換える点である。以下、図５を参照して動作を説明する。
【００４８】
はじめに現在位置情報を取得し（S−１２）、プリセット情報テーブル内の地域をチェックし（S−１３）、現在位置と同一地域があるか検出する（S−１４）。同一地域があるときは、プリセット情報テーブル部１１のデータベースを受信の可能性の高い順に選局キー内を並べ替える（S−１５）。例えばこの並べ替えは、GPS部１３に入力された経路情報および現在位置情報から移動の目的地に向かって優先順位をつける。また、トグルで選択し、選局キーのトグルの出現順位を地域別で他の選局キーと関連つけてもよい。
【００４９】
次に、並び替えた情報をモニタに表示するか否か、また、モニタに表示する場合は、図４（２）のようにプリセット情報全表示を行うのか、図４（３）のように現在地で受信可能なプリセット情報表示を行うのかを判断する（S−１６，１７，１８）。また、プリセット情報は、受信レベル検出部２aの出力に関係づけて、例えば受信できない放送は灰色等で網掛け表示する。
【００５０】
以上より、本実施の形態によれば、移動地域によりプリセット情報が切り換えられ、受信の可能性が高いものの順に全選局キーの内容を変更もしくは更新でき、どの地域にいてもいつもと同じ感覚で選局キーで番組切替を行うことができる。
【００５１】
また、１つの選局キーに複数の放送局が登録され、それをトグルで選択できるようにし、その選局キーのトグルの出現順位を地域別で他の選局キーと関連つけているので、他の選局キーを操作してもその地域の放送局からトグルが始まるので、ユーザは混乱無くチャンネル切替ができる。
【００５２】
また、受信できない放送は、灰色等で網掛け表示されるので、受信できる可能性の高い番組をユーザは何も気にせず、いつもと同じように選局キーを押すだけ、もしくは、チャンネルアップダウンキーを押すだけで受信することができる。従って、ユーザが誤って受信不可の番組を選局することが少なくなり、ユーザに優しいサービスを提供することができる。さらに、選局キーおよびチャンネルアップダウンキーでチャンネル変更できる状態のプリセット情報画面をOSD表示できるので、ユーザに受信できる番組をわかりやすく、かつ利便性に優れたサービスを提供することができる。
【００５３】
ここで、上述したように、各放送エリアの受信可能な放送局とそのチャンネル番号および周波数を記憶させたデータベースをあらかじめ構築し、選局キーにプリセットする発明が特許文献２に開示されているが、この方法では同一選局キーに複数プリセットできないため、新規にプリセットする場合は上書きされ、簡単に前の状態に戻すことができなかった。
【００５４】
実施の形態３では、実施の形態１と同様に、GPSからの位置情報と関連づけた周波数リストを記憶部１０に持つことにより、現在位置での放送局エリアを特定でき、受信可能な地域を早く見つけることができる。さらに、過去のプリセット情報が残っているので、同じ地域と判断できれば、全帯域をサーチすることなく、過去のプリセット情報を利用し、同じ放送局のみチューニングしNITチェックにより現在視聴中の番組と同一か判断できる。
【００５５】
同一番組と判断され、受信レベルが現視聴中の番組より高ければ即座に自動で切り替わり、過去のプリセット情報を上位に位置づけ、選局キーによるダイレクト選局およびチャンネルアップダウンでその地域の受信できる番組が選局でき、同一選局キーのトグル順位も自動で上位にあがる。
【００５６】
また、放送局の都合で受信地域が変わっても、上記方法で同一と判断でき、プリセットしていた放送局または同じ系列の放送局を同じ選局キーに更新して登録もでき、どちらも残しておきたいときは複数記載登録し、プリセット情報テーブル１１に登録できる。
【図面の簡単な説明】
【００５７】
【図１】本発明のデジタル放送受信機の構成を示したブロック図である。
【図２】本発明の実施の形態１におけるデジタル放送受信機の動作を示したフローチャートである。
【図３】本発明の実施の形態１におけるデジタル放送受信機の動作を示したフローチャートである。
【図４】本発明のプリセット情報表示状態を示した図である。
【図５】本発明の実施の形態３におけるプリセット情報表示動作を示したフローチャートである。
【符号の説明】
【００５８】
１  受信アンテナ、２  受信部、２a  受信レベル検出部、３  復調部、４  信号処理部、５  映像・音声出力部、６  OSD表示回路部、７  選局キー入力部、８  制御部、９  同一番組検出部、１０  記憶部、１１  プリセット情報テーブル部、１２  GPSアンテナ、１３  GPS部、１４  現在位置検出部、２０  デジタル放送受信機。
【図１】
2009124639.tif 000003
【図２】
2009124639.tif 000004
【図３】
2009124639.tif 000005
【図４】
2009124639.tif 000006
【図５】
2009124639.tif 000007